(57)【要約】【課題】端子を半田付けすることなく容易に基板に接続することのできるコネクタを提供する。【解決手段】端子１３に上下方向に弾性変形可能に形成されたコンタクト部１３ｂをＬＥＤ基板３の上面に当接することにより、コンタクト部１３ｂとＬＥＤ基板３とを導通するとともに、各係止部材１４の係止部１４ｃを取付基板４の下面に係止することにより、端子１３のコンタクト部１３ｂをＬＥＤ基板３の上面に圧接した状態に保持するようにしたので、端子１３をＬＥＤ基板３に半田付けすることなく容易に接続することができ、コネクタ１０の取付作業を極めて容易に行うことができる。【選択図】図２０
2015038810.tif 000002
【特許請求の範囲】
【請求項１】
板状の取付対象物に設けられた取付孔に挿入されるコネクタ本体と、コネクタ本体に保持された端子とを備え、端子を取付対象物の厚さ方向一方の面に接続するようにしたコネクタにおいて、
前記端子に取付対象物の厚さ方向に弾性変形可能に形成され、取付対象物の厚さ方向一方の面に当接することにより取付対象物と導通するコンタクト部と、
取付対象物の厚さ方向他方の面に係止することにより端子のコンタクト部を取付対象物の厚さ方向一方の面に圧接させた状態に保持する係止部とを備えた
ことを特徴とするコネクタ。
【請求項２】
前記コネクタ本体に装着され、前記係止部が設けられた係止部材を備え、
コネクタ本体を、前記コンタクト部から係止部までの間隔が互いに異なる複数種類の係止部材を装着可能に形成した
ことを特徴とする請求項１記載のコネクタ。
【請求項３】
前記係止部を弾性変形可能な弾性片部に設け、
コネクタ本体を取付対象物の厚さ方向一方の面側から取付孔に挿入すると、係止部が取付孔の縁部に当接しながら弾性片部が所定方向に弾性変形し、係止部が取付孔の縁部を乗り越えると弾性片部が復元して係止部が取付対象物の厚さ方向他方の面に係止する
ことを特徴とする請求項１または２記載のコネクタ。
【請求項４】
前記コネクタ本体に取付孔に対する反挿入方向への力が加わると、係止部が取付対象物の厚さ方向他方の面に係止しながら弾性片部が前記所定方向とは反対方向に弾性変形する
ことを特徴とする請求項３記載のコネクタ。
【請求項５】
前記コネクタ本体内に設けられ、取付対象物の厚さ方向一方の面側に位置する開口部から端子を収納する端子収納部と、
コネクタ本体に装着することにより端子収納部の開口部を覆うカバーとを備えた
ことを特徴とする請求項１、２、３または４記載のコネクタ。
【請求項６】
前記端子に、外部からケーブルを接続可能なケーブル接続部を一体に設けた
ことを特徴とする請求項１、２、３、４または５記載のコネクタ。
【請求項７】
前記取付対象物は、ＬＥＤを実装した基板を含む
ことを特徴とする請求項１、２、３、４、５または６記載のコネクタ。
【請求項８】
前記基板は、ＬＥＤを光源とする電球型ランプに用いられる基板である
ことを特徴とする請求項７記載のコネクタ。
【発明の詳細な説明】
【技術分野】
【０００１】
本発明は、例えばＬＥＤを用いた電球型ランプの基板に取り付けられ、電源用のケーブルと基板とを接続するためのコネクタに関するものである。
【背景技術】
【０００２】
一般に、ＬＥＤを用いた電球型ランプとしては、照明器具に取り付けられる本体部と、ＬＥＤを実装した基板と、基板を覆う球面状のカバーとからなり、カバーを介して基板上のＬＥＤの光を外部に照射するようにしたものが知られている（例えば、特許文献１参照）。この電球型ランプでは、従来の電球と同様、本体部に照明器具のソケットに螺合する口金が設けられ、口金と基板とを接続する配線を介して外部の電力をＬＥＤに供給するようになっている。この場合、基板には配線用のケーブルと基板の導電パターンとを接続するコネクタが取り付けられている。
【０００３】
この電球型ランプに用いられるコネクタとしては、基板に設けられた取付孔に挿入されるコネクタ本体と、コネクタ本体に保持された端子とを備え、端子の一端側を基板のＬＥＤ実装面に接続するとともに、端子の他端側にケーブルを接続するようになっている（例えば、特許文献２参照）。
【先行技術文献】
【特許文献】
【０００４】
【特許文献１】特開２０１０−３３９５９号公報
【特許文献２】意匠登録第１３８５５２３号公報
【発明の概要】
【発明が解決しようとする課題】
【０００５】
しかしながら、従来のコネクタでは、コネクタ本体を取付孔に挿入した後、端子の一端側を半田付けにより基板に接続するようにしているため、コネクタの取付時に端子の半田付け作業が必要となり、コネクタの取付作業が煩雑になるという問題点があった。
【０００６】
本発明は前記問題点に鑑みてなされたものであり、その目的とするところは、端子を半田付けすることなく容易に基板に接続することのできるコネクタを提供することにある。
【課題を解決するための手段】
【０００７】
本発明は前記目的を達成するために、板状の取付対象物に設けられた取付孔に挿入されるコネクタ本体と、コネクタ本体に保持された端子とを備え、端子を取付対象物の厚さ方向一方の面に接続するようにしたコネクタにおいて、前記端子に取付対象物の厚さ方向に弾性変形可能に形成され、取付対象物の厚さ方向一方の面に当接することにより取付対象物と導通するコンタクト部と、取付対象物の厚さ方向他方の面に係止することにより端子のコンタクト部を取付対象物の厚さ方向一方の面に圧接させた状態に保持する係止部とを備えている。
【０００８】
これにより、端子に上下方向に弾性変形可能に形成されたコンタクト部が取付対象物の厚さ方向一方の面に当接することにより、コンタクト部と取付対象物とが導通するとともに、係止部が基板の厚さ方向他方の面に係止することにより、端子のコンタクト部が取付対象物の厚さ方向一方の面に圧接した状態に保持されることから、端子を取付対象物に半田付けすることなく接続することができる。
【発明の効果】
【０００９】
本発明によれば、端子を基板に半田付けすることなく接続することができるので、コネクタの取付作業を極めて容易に行うことができる。
【図面の簡単な説明】
【００１０】
【図１】本発明の第１の実施形態を示すコネクタの上面側斜視図
【図２】コネクタの下面側斜視図
【図３】コネクタの正面図
【図４】コネクタの背面図
【図５】コネクタの平面図
【図６】コネクタの底面図
【図７】コネクタの側面図
【図８】図５におけるＡ−Ａ線矢視方向断面図
【図９】図５におけるＢ−Ｂ線矢視方向断面図
【図１０】図５におけるＣ−Ｃ線矢視方向断面図
【図１１】端子の斜視図
【図１２】端子の正面図
【図１３】端子の要部正面図
【図１４】ケーブル接続状態を示す端子の要部正面図
【図１５】コネクタの上面側分解斜視図
【図１６】ＬＥＤ基板及び取付基板の部分斜視図
【図１７】ＬＥＤ基板及び取付基板の部分平面図
【図１８】コネクタの取付工程を示す側面断面図
【図１９】コネクタの取付工程を示す側面断面図
【図２０】コネクタの取付状態を示す側面断面図
【図２１】コネクタの取付状態を示す側面断面図
【図２２】コネクタの取付状態を示すＬＥＤ基板及び取付基板の部分斜視図
【図２３】電球型ランプの分解斜視図
【図２４】本発明の第２の実施形態を示すコネクタの側面断面図
【図２５】コネクタの取付工程を示す側面断面図
【図２６】コネクタの取付工程を示す側面断面図
【図２７】コネクタの取付状態を示す側面断面図
【図２８】係止部の変位状態を示す係止部材の側面図
【発明を実施するための形態】
【００１１】
図１乃至図２３は本発明の第１の実施形態を示すものである。同図に示すコネクタは、ＬＥＤを用いた電球型ランプの基板に取り付けられ、接続対象物としての電源用ケーブルと基板とを接続するためのものである。
【００１２】
同図に示す電球型ランプ１は、照明器具に取り付けられる本体部２と、上面にＬＥＤを実装したＬＥＤ基板３と、上面にＬＥＤ基板３が取り付けられた取付基板４と、ＬＥＤ基板３及び取付基板４の上方を覆う球面状のカバー５とからなり、カバー５を介してＬＥＤの光を外部に照射するようになっている。尚、ＬＥＤ基板３及び取付基板４は板状の取付対象物をなす。
【００１３】
本体部２は、上面に開口部を有する中空状のケースからなり、その下端には照明器具のソケット（図示せず）に螺合する口金２ａが設けられている。口金２ａはケーブル６を介してＬＥＤ基板３に接続されており、外部の電力が口金２ａからＬＥＤ基板３に供給されるようになっている。
【００１４】
ＬＥＤ基板３は四角形状に形成され、取付基板４の上面に重なり合うように固定されている。この場合、ＬＥＤ基板３には、面状に形成された一つのＬＥＤ３ａが実装される。尚、図１６、図１７及び図２２では、ＬＥＤ基板３及び取付基板４の一部のみを示す。
【００１５】
取付基板４は円板状に形成され、本体部２の上面に固定されるようになっている。取付基板４にはケーブル６とＬＥＤ基板３とを接続するコネクタ１０が取り付けられ、コネクタ１０は取付基板４に設けられた取付孔４ａに取り付けられている。取付孔４ａはＬＥＤ基板３の両端側に配置された四角形状の貫通孔からなり、その幅方向一方の内側面がＬＥＤ基板３の端面と同一平面をなすように形成されている。また、取付孔４ａの幅方向他方の内側面には、後述するコネクタ１０の一部が係合する凹部４ｂが設けられている。
【００１６】
コネクタ１０は、取付基板４の取付孔４ａに挿入されるコネクタ本体１１と、コネクタ本体１１の上面を覆う上面カバー１２と、コネクタ本体１１に保持された電気接続用端子１３と、コネクタ本体１１に係止する一対の係止部材１４とを備え、端子１３の一端側をＬＥＤ基板３の上面（厚さ方向一方の面）に導通させるとともに、端子１３の他端側にケーブル６を接続するようになっている。
【００１７】
コネクタ本体１１は合成樹脂の成形品からなり、前後方向の寸法が幅方向の寸法に比べて小さい縦長の直方体状に形成されている。コネクタ本体１１の上面側には前方に延出する延出部１１ａが設けられ、延出部１１ａの幅方向一端寄りには端子１３の一端側を挿通する切り欠き部１１ｂが設けられている。コネクタ本体１１内には端子１３を収納する端子収納部１１ｃが設けられ、端子収納部１１ｃの上面はコネクタ本体１１の上面に開口している。コネクタ本体１１の下面の幅方向他端寄りにはケーブル６が挿入される円形の挿入口１１ｄが設けられ、挿入口１１ｄは端子収納部１１ｃ内に連通している。また、コネクタ本体１１内の幅方向両側には、各係止部材１４を保持する保持孔１１ｅがそれぞれ設けられている。各保持孔１１ｅは、コネクタ本体１１の前面に上下方向に延びるように開口しており、その開口部は延出部１１ａを除くコネクタ本体１１の前面に上下方向のほぼ全体に亘る長さに形成されている。コネクタ本体１１の背面には上下方向に延びるリブ１１ｆが突設され、リブ１１ｆはコネクタ本体１１の幅方向中央に配置されている。
【００１８】
上面カバー１２は端子収納部１１ｃの上面開口部を覆う四角形の平板状に形成され、コネクタ本体１１に後方から装着することにより、コネクタ本体１１の上面側に取り付けられるようになっている。上面カバー１２の幅方向両側には前後方向に延びるフランジ部１２ａがそれぞれ設けられ、各フランジ部１２ａは端子収納部１１ｃの上面開口部の後端側に設けた幅方向一対の係止部１１ｇに下方から係止するようになっている。また、上面カバー１２の前端には前方に突出する突出部１２ｂが設けられ、突出部１２ｂは端子収納部１１ｃの上面開口部の前端側に設けた孔１１ｈに係合するようになっている。
【００１９】
端子１３は、折り曲げ加工された導電性の金属板からなり、コネクタ本体１１の端子収納部１１ｃ内に、端子収納部１１ｃの上面開口部から収納されている。端子１３は、平板状に形成された固定片部１３ａと、固定片部１３ａの幅方向一端側から延出するコンタクト部１３ｂと、固定片部１３ａの幅方向他端側から延出するケーブル接続部１３ｃとからなる。
【００２０】
固定片部１３ａは、幅方向両端を端子収納部１１ｃの内面に圧接することにより端子収納部１１ｃに固定されるようになっている。
【００２１】
コンタクト部１３ｂは、固定片部１３ａから下方に延びるとともに、上方に向かって屈曲し、更に前方に向かって延出するように形成されている。コンタクト部１３ｂは上下方向（ＬＥＤ基板３及び取付基板４の厚さ方向）に弾性変形可能に形成され、その先端にはＬＥＤ基板３に当接する接触部１３ｄが下方に向かって屈曲するように設けられている。
【００２２】
ケーブル接続部１３ｃは固定片部１３ａから下方に延びるとともに、その幅方向両側にはケーブル６の導線６ａを挟持する幅方向一対の第１及び第２の接触片１３ｅ，１３ｆが互いに対向するように設けられている。各接触片１３ｅ，１３ｆは、固定片部１３ａから下方に延びる延出部１３ｇ（端子本体の所定部分）の幅方向両側を前方に曲げ起こすことにより互いに対向するように形成され、上方に向かって延びる先端側を互いに接近するように斜めに形成されている。この場合、各接触片１３ｅ，１３ｆの先端側は、ケーブル接続部１３ｃの幅方向（各接触片１３ｅ，１３ｆの対向方向）に弾性変形可能に形成されている。第１の接触片１３ｅの先端角部には、ケーブル６の導線６ａに食い込んで接触する第１の接触部１３ｅ−１が設けられ、第１の接触部１３ｅ−１は断面略直角をなす角部からなる。第２の接触片１３ｆの先端には、ケーブル６の導線６ａに摺動自在に面接触する第２の接触部１３ｆ−１が設けられ、第２の接触部１３ｆ−１は第２の接触片１３ｆの先端角部を曲面状に面取りすることによって形成されている。この場合、各接触部１３ｆ−１，１３ｅ−１は、互いにケーブル接続部１３ｃの幅方向（ケーブル６の挿入方向に直交する方向）に対向するように配置されている。
【００２３】
各係止部材１４は、打ち抜き加工された金属板からなり、それぞれコネクタ本体１１に装着されている。係止部材１４は、保持孔１１ｅ内の上端から下端に亘って延びる固定片部１４ａと、固定片部１４ａから延出する弾性片部１４ｂと、弾性片部１４ｂの先端に設けられた係止部１４ｃとからなり、係止部１４ｃは取付基板４の下面（厚さ方向他方の面）に係止するようになっている。固定片部１４ａは、上端側の前後両端と下端側の前後両端をそれぞれ保持孔１１ｅの内面に圧接することにより保持孔１１ｅに固定されるようになっている。弾性片部１４ｂは固定片部１４ａの前方を下方に向かって延びるとともに、その前方を上方に向かって屈曲するように形成されている。係止部１４ｃは弾性片部１４ｂの先端から前方に向かって突出するように形成され、保持孔１１ｅの開口部からコネクタ本体１１の前方に突出している。この場合、係止部１４ｃの上端は水平に形成され、下端側は後方に向かって下り傾斜をなすように斜めに形成されている。
【００２４】
以上のように構成されたコネクタ１０をＬＥＤ基板３及び取付基板４に取り付ける場合には、図１８に示すようにコネクタ本体１１を取付基板４の取付孔４ａに上方から挿入する。その際、コネクタ本体１１のリブ１１ｆが取付孔４ａの凹部４ｂに係合する。また、コネクタ本体１１を挿入する際、各係止部材１４の係止部１４ｃがＬＥＤ基板３の上縁に当接すると、係止部１４ｃの下端側の傾斜によって弾性片部１４ｂが後方に弾性変形し、図１９に示すように係止部１４ｃが取付孔４ａの内面に接しながら保持孔１１ｅ内の後方に向かって変位する。この後、係止部１４ｃが取付孔４ａの内面を乗り越えると、弾性片部１４ｂが復元して係止部１４ｃが前方に変位し、図２０に示すように係止部１４ｃが取付基板４の下面に係止する。また、前記挿入の際、端子１３のコンタクト部１３ｂの接触部１３ｄがＬＥＤ基板３の上面に当接するとともに、コンタクト部１３ｂが上方に弾性変形し、接触部１３ｄがコンタクト部１３ｂの復元力によってＬＥＤ基板３に圧接する。これにより、コンタクト部１３ｂがＬＥＤ基板３の導電パターン（図示せず）と導通し、端子１３がＬＥＤ基板３に接続される。その際、弾性変形前のコンタクト部１３ｂの接触部１３ｄから係止部１４ｃまでの上下方向の間隔Ｈ1 は、ＬＥＤ基板３及び取付基板４の厚さｔ1 よりもやや小さい間隔になっている。これにより、係止部１４ｃが取付基板４の下面に係止すると、端子１３のコンタクト部１３ｂがＬＥＤ基板３の上面に圧接した状態となり、取付孔４ａ内のコネクタ本体１１がＬＥＤ基板３及び取付基板４に対して上下方向の移動を規制された状態で保持される。また、コネクタ本体１１のリブ１１ｆと取付孔４ａの凹部４ｂとの係合により、コネクタ１０の幅方向への移動が規制される。
【００２５】
次に、先端部の被覆を除去して導線６ａを露出させたケーブル６をコネクタ本体１１の挿入口１１ｄに挿入し、ケーブル６を端子１３に接続する。その際、図１４に示すようにケーブル６の導線６ａがケーブル接続部１３ｃの各接触片１３ｅ，１３ｆ間に挿入され、各接触片１３ｅ，１３ｆが導線６ａに接触しながら押し広げられる。これにより、各接触片１３ｅ，１３ｆが導線６ａに圧接し、ケーブル６が端子１３に接続される。その際、第１の接触片１３ｅの第１の接触部１３ｅ−１が導線６ａに食い込むように接触することから、導線６ａの反挿入方向への移動が規制され、導線６ａの抜けが防止される。また、第２の接触片１３ｆの第２の接触部１３ｆ−１は、導線６ａに食い込むことなく摺動自在に面接触することから、第２の接触片１３ｆと導線６ａとの接触面積が十分に確保される。この場合、第１及び第２の接触部１３ｅ−１，１３ｆ−１が互いに導線６ａの挿入方向に直交する方向に対向するように配置されていることから、各接触部１３ｅ−１，１３ｆ−１からの押圧力が導線６ａの軸方向同一位置に加わる。
【００２６】
ＬＥＤ基板３及び取付基板４には、図２１に示すように一対のコネクタ１０が取り付けられ、一方のコネクタ１０に接続されたケーブル６は口金２ａのプラス電極に接続され、他方のコネクタ１０に接続されたケーブル６は口金２ａのマイナス電極に接続される。
【００２７】
本実施形態のコネクタ１０によれば、端子１３に上下方向に弾性変形可能に形成されたコンタクト部１３ｂをＬＥＤ基板３の上面に当接することにより、コンタクト部１３ｂとＬＥＤ基板３とを導通するとともに、各係止部材１４の係止部１４ｃを取付基板４の下面に係止することにより、端子１３のコンタクト部１３ｂをＬＥＤ基板３の上面に圧接した状態に保持するようにしたので、端子１３をＬＥＤ基板３に半田付けすることなく容易に接続することができ、コネクタ１０の取付作業を極めて容易に行うことができる。
【００２８】
この場合、コネクタ本体１１を取付基板４の取付孔４ａに挿入すると、各係止部材１４の係止部１４ｃが取付孔４ａの縁部に当接しながら弾性片部１４ｂが後方に弾性変形し、係止部１４ｃが取付孔４ａの縁部を乗り越えると、弾性片部１４ｂが復元して係止部１４ｃが取付基板４の下面に係止するようにしたので、弾性片部１４ｂの弾性変形によって取付孔４ａへの挿入抵抗を少なくすることができるとともに、弾性片部１４ｂの復元によって係止部１４ｃを取付基板４の下面に確実に係止することができる。
【００２９】
また、コネクタ本体１１内に、ＬＥＤ基板３の上面側に位置する開口部から端子１３を収納する端子収納部１１ｃを設け、コネクタ本体１１に装着される上面カバー１２によって端子収納部１１ｃの上面開口部を覆うようにしたので、端子収納部１１ｃの内部がコネクタ本体１１の上面に露出することがなく、ＬＥＤ３ａの光をコネクタ本体１１の上面及び上面カバー１２によって確実に反射させることができる。その際、コネクタ本体１１の上面及び上面カバー１２を反射率の高い色にすることにより、コネクタ本体１１の上面側がＬＥＤ基板３の上面に配置されていても、ＬＥＤ基板３の上面側がコネクタ本体１１によって暗くなることがなく、照明効果を低下させることがないという利点がある。
【００３０】
更に、端子１３には、外部からケーブル６を接続可能なケーブル接続部１３ｃが一体に設けられているので、ケーブル接続用の端子を別途設ける必要がなく、部品点数を少なくすることができる。
【００３１】
また、端子１３の第１の接触片１３ｅの先端角部には、ケーブル６の導線６ａに食い込むことにより導線６ａの反挿入方向への移動を規制する第１の接触部１３ｅ−１を設け、端子１３の第２の接触片１３ｆの先端には、導線６ａが摺動自在に接触する第２の接触部１３ｆ−１を設けたので、第１の接触部１３ｅ−１によって導線６ａの抜けを防止するとともに、第２の接触部１３ｆ−１によって導線６ａとの接触面積を十分に確保することができ、接続信頼性を低下させることなく導線６ａを確実に保持することができる。
【００３２】
この場合、第２の接触部１３ｆ−１を第２の接触片１３ｆの先端角部を面取りすることによって形成したので、第２の接触片１３ｆの先端側を曲げ加工して曲面状の接触部を形成する必要がなく、第２の接触片１３ｆを簡単な形状によって容易に形成することができる。
【００３３】
更に、第１及び第２の接触部１３ｅ−１，１３ｆ−１を互いに導線６ａの挿入方向に直交する方向に対向するように配置したので、各接触部１３ｅ−１，１３ｆ−１からの押圧力を導線６ａの軸方向同一位置に付与することができ、各接触部１３ｅ，１３ｆによって導線６ａを確実に挟持することができる。
【００３４】
また、第１及び第２の接触片１３ｅ，１３ｆを端子１３の延出部１３ｇの両側を互いに対向するように曲げ起こすことによって形成したので、各接触片１３ｅ，１３ｆを容易に形成することができ、生産性の向上を図ることができる。
【００３５】
尚、前記実施形態では、コネクタ本体１１とは別部品からなる係止部材１４に係止部１４ｃを設けたものを示したが、取付基板８に係止する係止部をコネクタ本体に一体に設けるようにしてもよい。
【００３６】
また、前記実施形態では、面状に形成された一つのＬＥＤ３ａをＬＥＤ基板３に実装したものを示したが、複数のチップ型のＬＥＤを実装するものであってもよい。
【００３７】
更に、前記実施形態では、電球型ランプのＬＥＤ基板３に接続されるコネクタ１０を示したが、本発明は電球型ランプの基板用には限定されず、他の機器の基板に接続されるコネクタにも適用することができる。
【００３８】
図２４乃至図２８は本発明の第２の実施形態を示すものであり、前記実施形態と同等の構成部分には同一の符号を付して示す。
【００３９】
本実施形態のコネクタ１０は、第１の実施形態よりも厚さ寸法の小さいＬＥＤ基板７及び取付基板８に取り付けられるもので、第１の実施形態の係止部材１４に代えて、本実施形態のＬＥＤ基板７及び取付基板８の厚さ寸法に対応する一対の係止部材１５を備えている。尚、ＬＥＤ基板７の上面にはＬＥＤ（図示せず）が実装され、取付基板８には第１の実施形態と同様の取付孔８ａ及び凹部８ｂが設けられている。
【００４０】
本実施形態の各係止部材１５は、打ち抜き加工された金属板からなり、それぞれコネクタ本体１１に装着されている。係止部材１５は、保持孔１１ｅ内の上端から下端に亘って延びる固定片部１５ａと、固定片部１５ａから延出する弾性片部１５ｂと、弾性片部１５ｂの先端に設けられた係止部１５ｃとからなり、係止部１５ｃは取付基板４の下面（厚さ方向他方の面）に係止するようになっている。固定片部１５ａは、上端側の前後両端と下端側の前後両端をそれぞれ保持孔１１ｅの内面に圧接することにより保持孔１１ｅに固定されるようになっている。弾性片部１５ｂは固定片部１４ａの下端側から前方に延出するとともに、上方に向かって屈曲し、その屈曲部から更に上方に向かって延びるように形成されている。係止部１５ｃは弾性片部１５ｂの上端から前方に向かって突出するように形成され、保持孔１１ｅの開口部からコネクタ本体１１の前方に突出している。この場合、係止部１５ｃの上端は水平に形成され、下端側は後方に向かって下り傾斜をなすように斜めに形成されている。
【００４１】
本実施形態において、コネクタ１０をＬＥＤ基板７及び取付基板８に取り付ける場合には、図２５に示すようにコネクタ本体１１を取付基板８の取付孔８ａに上方から挿入する。その際、コネクタ本体１１のリブ１１ｆが取付孔８ａの凹部８ｂに係合する。また、コネクタ本体１１を挿入する際、各係止部材１５の係止部１５ｃがＬＥＤ基板７の上縁に当接すると、係止部１５ｃの下端側の傾斜によって弾性片部１５ｂが後方に弾性変形し、図２６に示すように係止部１５ｃが取付孔８ａの内面に接しながら保持孔１１ｅ内の後方に向かって変位する。この後、係止部１５ｃが取付孔８ａの内面を乗り越えると、弾性片部１５ｂが復元して係止部１５ｃが前方に変位し、図２７に示すように係止部１５ｃが取付基板８の下面に係止する。また、前記挿入の際、端子１３のコンタクト部１３ｂの接触部１３ｄがＬＥＤ基板７の上面に当接するとともに、コンタクト部１３ｂが上方に弾性変形し、接触部１３ｄがコンタクト部１３ｂの復元力によってＬＥＤ基板７に圧接する。これにより、コンタクト部１３ｂがＬＥＤ基板７の導電パターン（図示せず）と導通し、端子１３がＬＥＤ基板７に接続される。その際、弾性変形前のコンタクト部１３ｂの接触部１３ｄから係止部１５ｃまでの上下方向の間隔Ｈ2 は、ＬＥＤ基板７及び取付基板８の厚さｔ2 よりもやや小さい間隔になっている。これにより、係止部１５ｃが取付基板８の下面に係止すると、端子１３のコンタクト部１３ｂがＬＥＤ基板７の上面に圧接した状態となり、取付孔８ａ内のコネクタ本体１１がＬＥＤ基板７及び取付基板８に対して上下方向の移動を規制された状態で保持される。また、コネクタ本体１１のリブ１１ｆと取付孔８ａの凹部８ｂとの係合により、コネクタ１０の幅方向への移動が規制される。
【００４２】
また、前記取付状態において、コネクタ本体１１に取付孔８ａに対する反挿入方向（上方）への力が加わった場合には、図２８に示すように係止部材１５の係止部１５ｃが取付基板８の下面から下方に向かって反力Ｒを受ける。その際、弾性片部１５ｂがその下端側の屈曲部を支点Ｐとして弾性変形するが、支点Ｐは反力Ｒが加わる方向の延長線Ｌよりも後方に位置しているため、支点Ｐには図中反時計方向のモーメントが生ずる。これにより、図中一点鎖線に示すように弾性片部１５ｂが前方に向かって弾性変形し、係止部１５ｃが取付基板８の下面に係止しながら前方（取付孔８ａの反対側）に向かって変位することから、コネクタ本体１１に反挿入方向への力が加わった場合でも、取付基板８への係止部１５ｃの係止が解除されることがない。
【００４３】
本実施形態のコネクタ１０によれば、第１の実施形態の係止部材１４に代えて、コンタクト部１３ｂの接触部１３ｄから係止部１５ｃまでの間隔が第１の実施形態の係止部材１４とは異なる係止部材１５をコネクタ本体１１に装着可能に構成したので、係止部材１４，１５を代えるだけで第１の実施形態のＬＥＤ基板３及び取付基板４とは厚さ寸法の異なるＬＥＤ基板７及び取付基板８に取り付けることができ、汎用性の向上を図ることができる。
【００４４】
この場合、コネクタ本体１１の保持孔１１ｅの開口部は、延出部１１ａを除くコネクタ本体１１の前面に上下方向のほぼ全体に亘る長さに形成されているので、係止部材１５の係止部１５ｃの高さ位置が第１の実施形態の係止部１４ｃと異なっていても、本実施形態の係止部１５ｃを保持孔１１ｅの開口部に配置することができる。
【００４５】
また、コネクタ本体１１に取付孔８ａに対する反挿入方向への力が加わると、係止部１５ｃが取付基板８の下面に係止しながら弾性片部１５ｂが挿入時の変形方向（後方）とは反対方向（前方）に弾性変形するようにしたので、コネクタ本体１１に反挿入方向への力が加わった場合でも、取付基板８への係止部１５ｃの係止が解除されることがなく、コネクタ本体１１をＬＥＤ基板７及び取付基板８に確実に取り付けることができる。
【００４６】
尚、本実施形態における他の構成及び作用効果については、第１の実施形態と同様である。
【符号の説明】
【００４７】
１…電球型ランプ、３…ＬＥＤ基板、４…取付基板、４ａ…取付孔、６…ケーブル、７…ＬＥＤ基板、８…取付基板、８ａ…取付孔、１０…コネクタ、１１…コネクタ本体、１１ｃ…端子収納部、１２…上面カバー、１３…端子、１３ｂ…コンタクト部、１３ｃ…ケーブル接続部、１３ｅ…第１の接触片，１３ｆ…第２の接触片、１３ｅ−１…第１の接触部，１３ｆ−１…第２の接触部、１４…係止部材、１４ｂ…弾性片部、１４ｃ…係止部、１５…係止部材、１５ｂ…弾性片部、１５ｃ…係止部。
【図１】
2015038810.tif 000003
【図２】
2015038810.tif 000004
【図３】
2015038810.tif 000005
【図４】
2015038810.tif 000006
【図５】
2015038810.tif 000007
【図６】
2015038810.tif 000008
【図７】
2015038810.tif 000009
【図８】
2015038810.tif 000010
【図９】
2015038810.tif 000011
【図１０】
2015038810.tif 000012
【図１１】
2015038810.tif 000013
【図１２】
2015038810.tif 000014
【図１３】
2015038810.tif 000015
【図１４】
2015038810.tif 000016
【図１５】
2015038810.tif 000017
【図１６】
2015038810.tif 000018
【図１７】
2015038810.tif 000019
【図１８】
2015038810.tif 000020
【図１９】
2015038810.tif 000021
【図２０】
2015038810.tif 000022
【図２１】
2015038810.tif 000023
【図２２】
2015038810.tif 000024
【図２３】
2015038810.tif 000025
【図２４】
2015038810.tif 000026
【図２５】
2015038810.tif 000027
【図２６】
2015038810.tif 000028
【図２７】
2015038810.tif 000029
【図２８】
2015038810.tif 000030
【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
板状の取付対象物に設けられた取付孔に挿入されるコネクタ本体と、コネクタ本体に保持された端子とを備え、端子を取付対象物の厚さ方向一方の面に接続するようにしたコネクタにおいて、
前記端子に取付対象物の厚さ方向に弾性変形可能に形成され、取付対象物の厚さ方向一方の面に当接することにより取付対象物と導通するコンタクト部と、
コネクタ本体に装着され、取付対象物の厚さ方向他方の面に係止することにより端子のコンタクト部を取付対象物の厚さ方向一方の面に圧接させた状態に保持する係止部が設けられた係止部材とを備え、
係止部材を、コンタクト部から係止部までの間隔が取付対象物の厚さ寸法よりも小さくなるように形成するとともに、
コンタクト部と係止部によって取付対象物を挟持することによりコネクタ本体を取付対象物に保持し、
コネクタ本体を、コンタクト部から係止部までの間隔が互いに異なる複数種類の係止部材を装着可能に形成した
ことを特徴とするコネクタ。
【請求項２】
前記係止部を弾性変形可能な弾性片部に設け、
コネクタ本体を取付対象物の厚さ方向一方の面側から取付孔に挿入すると、係止部が取付孔の縁部に当接しながら弾性片部が所定方向に弾性変形し、係止部が取付孔の縁部を乗り越えると弾性片部が復元して係止部が取付対象物の厚さ方向他方の面に係止する
ことを特徴とする請求項１記載のコネクタ。
【請求項３】
前記コネクタ本体に取付孔に対する反挿入方向への力が加わると、係止部が取付対象物の厚さ方向他方の面に係止しながら弾性片部が前記所定方向とは反対方向に弾性変形する
ことを特徴とする請求項２記載のコネクタ。
【請求項４】
前記コネクタ本体内に設けられ、取付対象物の厚さ方向一方の面側に位置する開口部から端子を収納する端子収納部と、
コネクタ本体に装着することにより端子収納部の開口部を覆うカバーとを備えた
ことを特徴とする請求項１、２または３記載のコネクタ。
【請求項５】
前記端子に、外部からケーブルを接続可能なケーブル接続部を一体に設けた
ことを特徴とする請求項１、２、３または４記載のコネクタ。
【請求項６】
前記取付対象物は、ＬＥＤを実装した基板を含む
ことを特徴とする請求項１、２、３、４または５記載のコネクタ。
【請求項７】
前記基板は、ＬＥＤを光源とする電球型ランプに用いられる基板である
ことを特徴とする請求項６記載のコネクタ。
【手続補正２】
【補正対象書類名】明細書
【補正対象項目名】０００７
【補正方法】変更
【補正の内容】
【０００７】
本発明は前記目的を達成するために、板状の取付対象物に設けられた取付孔に挿入されるコネクタ本体と、コネクタ本体に保持された端子とを備え、端子を取付対象物の厚さ方向一方の面に接続するようにしたコネクタにおいて、前記端子に取付対象物の厚さ方向に弾性変形可能に形成され、取付対象物の厚さ方向一方の面に当接することにより取付対象物と導通するコンタクト部と、コネクタ本体に装着され、取付対象物の厚さ方向他方の面に係止することにより端子のコンタクト部を取付対象物の厚さ方向一方の面に圧接させた状態に保持する係止部が設けられた係止部材とを備え、係止部材を、コンタクト部から係止部までの間隔が取付対象物の厚さ寸法よりも小さくなるように形成するとともに、コンタクト部と係止部によって取付対象物を挟持することによりコネクタ本体を取付対象物に保持し、コネクタ本体を、コンタクト部から係止部までの間隔が互いに異なる複数種類の係止部材を装着可能に形成している。
【手続補正３】
【補正対象書類名】明細書
【補正対象項目名】０００８
【補正方法】変更
【補正の内容】
【０００８】
これにより、端子に上下方向に弾性変形可能に形成されたコンタクト部が取付対象物の厚さ方向一方の面に当接することにより、コンタクト部と取付対象物とが導通するとともに、係止部が基板の厚さ方向他方の面に係止することにより、端子のコンタクト部が取付対象物の厚さ方向一方の面に圧接した状態に保持されることから、端子を取付対象物に半田付けすることなく接続することができる。また、係止部材をコンタクト部から係止部までの間隔が異なる他の種類の係止部材に代えることにより、厚さ寸法の異なる他の取付対象物に取り付けることができる。汎用性の向上を図ることができる。
【手続補正４】
【補正対象書類名】明細書
【補正対象項目名】０００９
【補正方法】変更
【補正の内容】
【０００９】
本発明によれば、端子を基板に半田付けすることなく接続することができるので、コネクタの取付作業を極めて容易に行うことができる。また、厚さ寸法の異なる他の取付対象物に取り付けることができるので、汎用性の向上を図ることができる。